(57)【要約】      （修正有）【課題】ＳＤＨ伝送路で１０ＧｂＥ信号をフルレートで伝送可能な信号伝送方式を提供する。【解決手段】イーサネット信号をカプセル化してＧＦＰフレームを生成するＧＦＰ生成部１２と、ＧＦＰフレームからＶＣＡＴ方式によりＶＣパス信号を生成するＶＣＡＴ生成部（ＶＣＡＴ６７生成部１７）と、ＶＣパス信号をＶＣ−４単位で処理するＶＣパス生成部１４−１〜１４−６７と、ＶＣパス生成部１４−１〜１４−６７により処理されたＶＣパス信号からＳＤＨ信号を生成して送信するＳＤＨ信号送信部１６−１、１６−２とを有し、ＶＣパス生成部１４−１〜１４−６７が６７個設けられ、ＶＣＡＴ６７生成部１７は、ＧＦＰ生成部１２からのデータ信号を、ＶＣＡＴグループに属するＶＣ−４で６７個の各ＶＣパスのデータ領域に挿入する。ＳＤＨ信号を受信してイーサネット信号に変換する部分についても、対応する構成とする。【選択図】図２
2010141777.tif 000002
【特許請求の範囲】
【請求項１】
１０ギガビット・イーサネット信号のトラヒックをＳＤＨネットワークを介して伝送する信号伝送方式において、
上記イーサネット信号と上記ＳＤＨネットワークで伝送されるＳＤＨ信号との間の信号変換処理をＶＣ−４単位で行う回路を６７個有する
ことを特徴とする信号伝送方式。
【請求項２】
請求項１記載の信号伝送方式において、
上記イーサネット信号をカプセル化してＧＦＰフレームを生成するＧＦＰ生成部と、
上記ＧＦＰフレームからＶＣＡＴ方式によりＶＣパス信号を生成するＶＣＡＴ生成部と、
上記ＶＣパス信号をＶＣ−４単位で処理するＶＣパス生成部と、
上記ＶＣパス生成部により処理されたＶＣパス信号からＳＤＨ信号を生成して送信するＳＤＨ信号送信部と
を有し、
上記ＶＣパス生成部が６７個設けられ、
上記ＶＣＡＴ部は、上記ＧＦＰ生成部からのデータ信号を、ＶＣＡＴグループに属するＶＣ−４で６７個の各ＶＣパスのデータ領域に挿入する
ことを特徴とする信号伝送方式。
【請求項３】
請求項２記載の信号伝送方式において、
前記ＳＤＨ信号送信部は、６７個のＶＣパス信号から、それらを収容する１または複数のＳＤＨ信号を生成することを特徴とする信号伝送方式。
【請求項４】
請求項１から３のいずれか１項記載の信号伝送方式において、
ＳＤＨ信号を受信してそのＳＤＨ信号に収容されているＶＣパス信号を抽出するＳＤＨ信号受信部と、
上記ＶＣパス信号を終端しＶＣ−４単位で処理するＶＣパス終端部と、
このＶＣパス終端部からのＶＣパスのデータ領域を結合して結合データ信号を生成するＶＣＡＴ終端部と、
上記結合データ信号からＧＦＰフレームを抽出し、このＧＦＰフレームからイーサネット・フレームを抽出するＧＦＰ終端部と、
上記イーサネット・フレームからイーサネット信号を生成するイーサネット信号送信部と
を有し、
上記ＶＣパス終端部が６７個設けられた
ことを特徴とする信号伝送方式。
【請求項５】
請求項４記載の信号伝送方式において、
前記ＳＤＨ信号受信部は、１または複数のＳＤＨ信号から６７個のＶＣパス信号を抽出することを特徴とする信号伝送方式。
【発明の詳細な説明】
【技術分野】
【０００１】
本発明は、１０ギガビット・イーサネット（ＥＴＨＥＲＮＥＴ:登録商標）信号（以下、「１０ＧｂＥ信号」という）のトラヒックをＳＤＨ（Ｓｙｎｃｈｒｏｎｏｕｓ  Ｄｉｇｉｔａｌ  Ｈｉｅｒａｒｃｈｙ）ネットワークを介して伝送する信号伝送方式に関する。
【背景技術】
【０００２】
図１はＳＤＨネットワークを介して１０ＧｂＥ信号を伝送するネットワーク構成の一例を示す図である。ここで、ＳＤＨネットワークと同様な同期ネットワークにＳＯＮＥＴ（Ｓｙｎｃｈｒｏｎｏｕｓ  Ｏｐｔｉｃａｌ  ＮＥＴｗｏｒｋ）ネットワークがあるが、ＳＤＨとＳＯＮＥＴは基本的に同様な技術であるため、本願ではＳＤＨという用語をＳＤＨおよびＳＯＮＥＴの両方を含むものとする。
【０００３】
イーサネット信号をＳＤＨネットワークを介して伝送する技術は、ＥＴＨＥＲＮＥＴ  ｏｖｅｒ  ＳＤＨ／ＳＯＮＥＴ（ＥＯＳ）として知られている（例えば特許文献１、２参照）。特に１０ＧｂＥ信号をＳＤＨネットワークを介して伝送する技術について、図１を参照して説明する。１０ＧｂＥ信号は、イーサネット・ネットワーク１−１に含まれるＬ２スイッチ／ルーター２−１から１０ＧｂＥ伝送路３−１を介して、ＥＯＳ装置４−１に送られる。ＥＯＳ装置４−１は、１０ＧｂＥ伝送路３−１を介して受信した１０ＧｂＥ信号をカプセル化し、ＳＤＨ信号にマッピングし、ＳＤＨ伝送路５−１−１〜５−１−Ｎ（Ｎ：任意の正整数）を介してＳＤＨネットワーク６に送信する。ＥＯＳ装置４−２は、ＳＤＨ伝送路５−２−１〜５−２−Ｎを介してＳＤＨネットワーク６よりＳＤＨ信号を受信し、そのＳＤＨ信号からデマッピング、デカプセル化により１０ＧｂＥ信号を抽出し、１０ＧｂＥ伝送路３−２を介してＥＴＨＥＲＮＥＴネットワーク１−２に含まれるＬ２スイッチ／ルーター２−２に送信する。なお、１０ＧｂＥ信号およびＳＤＨ信号は上述の方向とは逆方向にも流れているが、その処理は同様であるため説明は省略する。
【０００４】
図３は図１に示すネットワーク構成内のＥＯＳ装置４−１、４−２の一例を示すブロック構成図であり、図４はＥＯＳ装置４−１、４−２内で処理される信号のフォーマット例を示す。図４において、（Ａ）は１０ＧｂＥ信号のフォーマットの一例、（Ｂ）は１０ＧｂＥ信号とＳＤＨ信号との信号変換の過程で用いられるＧＦＰフレームのフォーマットの一例である。なお、図１における１０ＧｂＥ伝送路３−１、３−２は、図３における１０ＧｂＥ伝送路１０１、１０２に対応する。また、図１におけるＳＤＨ伝送路５−１−１〜５−１−Ｎ、５−２−１〜５−２−Ｎは、図３におけるＳＤＨ伝送路２０１、２０２に対応する。
【０００５】
初めに、１０ＧｂＥ伝送路１０１を介して受信した１０ＧｂＥ信号をカプセル化、ＳＤＨ信号へのマッピングを行い、ＳＤＨ伝送路２０１を介してＳＤＨ信号を送信するまでの動作を説明する。
【０００６】
１０ＧｂＥ伝送路１０１を介して送られてきた１０ＧｂＥ信号は、１０ＧｂＥ信号受信部１１により受信される。１０ＧｂＥ信号受信部１１は、受信した１０ＧｂＥ信号のプリアンブル／ＳＦＤ（Ｓｔａｒｔ  Ｆｒａｍｅ  Ｄｅｌｉｍｉｔｅｒ）フィールド３１およびＩＤＬＥ３３を除去し、抽出されたイーサネット・フレーム３２をＧＦＰ生成部１２に送信する。
【０００７】
ＧＦＰ生成部１２は、ＩＴＵ−Ｔ  Ｇ．７０４１にて規定されるＧＦＰ（Ｇｅｎｅｒｉｃ  ｆｒａｍｉｎｇ  ｐｒｏｃｅｄｕｒｅ）方式にて、受信したイーサネット・フレーム３２をＧＦＰフレームにカプセル化し、ＧＦＰ  ＩＤＬＥフレームを適宜追加することで結合データ信号を生成し、ＶＣＡＴ生成部１３に送信する。
【０００８】
ＧＦＰフレームは、図４（Ｂ）に一例を示すように、コア・ヘッダ（Ｃｏｒｅ  ｈｅａｄｅｒ）４１、ペイロード・ヘッダ（Ｐａｙｌｏａｄ  ｈｅａｄｅｒ）４２、ペイロード情報フィールド（Ｐａｙｌｏａｄ  ｉｎｆｏｒｍａｔｉｏｎ  ｆｉｅｌｄ）４３、ペイロードＦＣＳ（Ｐａｙｌｏａｄ  Ｆｒａｍｅ  Ｃｈｅｃｋ  Ｓｅｑｕｅｎｃｅ）４４から構成される。コア・ヘッダ４１は、ＧＦＰフレームの長さとその長さ情報に対する誤り訂正符号からなる４バイトの情報で構成され、これらの情報を用いてＧＦＰフレームの切れ目を検出する。ペイロード・ヘッダ４２は、ＧＦＰフレームに格納するクライアントデータの種別やペイロードＦＣＳ４４が付加されているかどうかなどの４〜６４バイトの情報から構成される。ペイロード情報フィールド４３はクライアントデータが格納される領域であり、ＥＯＳ装置においてはイーサネット・フレーム３２が格納され、その長さはイーサネット・フレームのサイズによる。ペイロードＦＣＳ４４は、ＧＦＰフレームのペイロード情報フィールド４３に対する誤りチェック符号であり、４バイトの情報で構成される。なお、ＶＣＡＴ生成部１３に送信される結合データ信号に追加されるＧＦＰ  ＩＤＬＥフレームは、コア・ヘッダ４１のみからなる長さ情報＝０のＧＦＰフレームであり、ＧＦＰフレームをＳＤＨ信号にマッピングする際のレート調整の目的で使用される。
【０００９】
ＶＣＡＴ生成部１３は、ＩＴＵ−Ｔ  Ｇ．７０７にて規定されるＶＣＡＴ（Ｖｉｒｔｕａｌ  ｃｏｎｃａｔｅｎａｔｉｏｎ）方式にて、ＶＣＡＴグループに属する各ＶＣ（Ｖｉｒｔｕａｌ  ｃｏｎｔａｉｎｅｒ）パスのデータ領域に、受信した結合データ信号をバイト単位に分割し挿入すると同時に、各ＶＣパスのＰＯＨ（Ｐａｔｈ  ｏｖｅｒｈｅａｄ）のＨ４バイトにマルチフレーム情報とマッピング順番を示すシーケンス情報を付加してＶＣパス信号を生成し、ＶＣパス生成部１４−１〜１４−６４に送信する。
【００１０】
ＶＣパス生成部１４−１〜１４−６４は、ＶＣＡＴ生成部１３から受信した各ＶＣパス信号のＨ４バイト以外のＰＯＨバイトを付加した後に、ＶＣパス信号をクロスコネクト部１５に送信する。ここで、各ＶＣパス生成部１４−１〜１４−６４はそれぞれＶＣ−４単位の処理を行っており、６４個でＳＴＭ−６４のＳＤＨ信号帯域分のデータを伝送することができる。
【００１１】
クロスコネクト部１５は、ＶＣパス生成部１４−１〜１４−６４から受信したＶＣパス信号を、ＳＤＨ信号に収容すべくタイムスロット入れ替えなどを行い、該当するＳＤＨ信号送信部１６にＶＣパス信号を送信する。
【００１２】
ＳＤＨ信号送信部１６は、クロスコネクト部１５から受信した各ＶＣパス信号にＳＯＨ（Ｓｅｃｔｉｏｎ  ｏｖｅｒｈｅａｄ）を付加することでＳＴＭ−６４やＳＴＭ−１６などのＳＤＨ信号を生成し、ＳＤＨ伝送路２０１に送信する。ここで、ＳＤＨ伝送路２０１は、ＳＤＨ信号送信部１６で生成したＳＤＨ信号を送信できるものとする。
【００１３】
次に、ＳＤＨ伝送路２０２を介して受信したＳＤＨ信号からデマッピング、デカプセル化を行うことで１０ＧｂＥ信号を抽出し、１０ＧｂＥ伝送路１０２を介して１０ＧｂＥ信号を送信するまでの動作を説明する。
【００１４】
ＳＤＨ信号受信部２１は、ＳＤＨ伝送路２０２を介して受信した各ＳＤＨ信号のＳＯＨを終端し、収容されている各ＶＣパス信号を抽出して、クロスコネクト部２２に送信する。
【００１５】
クロスコネクト部２２は、ＳＤＨ信号受信部２１から受信したＶＣパス信号を、ＶＣパス終端部２３−１〜２３−６４で受信できるようにタイムスロット入れ替えなどを行い、該当するＶＣパス終端部２３−１〜２３−６４にＶＣパス信号を送信する。
【００１６】
ＶＣパス終端部２３−１〜２３−６４は、クロスコネクト部２２から受信した各ＶＣパス信号のＨ４バイト以外のＰＯＨバイトを終端した後に、ＶＣパス信号をＶＣＡＴ終端部２４に送信する。ここで、各ＶＣパス終端部２３−１〜２３−６４は、それぞれＶＣ−４単位の処理を行っており、６４個でＳＴＭ−６４のＳＤＨ信号帯域分のデータを伝送することができる。
【００１７】
ＶＣＡＴ終端部２４はＶＣパス終端部２３−１〜２３−６４から受信した各ＶＣパスのＨ４バイトに格納されているマルチフレーム情報により各ＶＣパスの位相を揃え、シーケンス情報によりＶＣパスのデータ領域を結合して、結合データ信号をＧＦＰ終端部２５に送信する。
【００１８】
ＧＦＰ終端部２５は、ＶＣＡＴ終端部２４から受信した結合データ信号からＧＦＰフレーム同期を確立することでＧＦＰフレームを抽出し、ＧＦＰ  ＩＤＬＥフレームを除去し、ＧＦＰフレームの各種ヘッダ等を終端してイーサネット・フレームを抽出し、１０ＧｂＥ信号送信部２６に送信する。
【００１９】
１０ＧｂＥ信号受信部２６は、受信したイーサネット・フレームにプリアンブル、ＳＦＤフィールドおよびＩＤＬＥを挿入することで１０ＧｂＥ信号を生成し、１０ＧｂＥ伝送路２０２を介して送信する。
【特許文献１】特開２００３−１８８８４３号公報
【特許文献２】特表２００３−５０１８７４号公報
【発明の開示】
【発明が解決しようとする課題】
【００２０】
ＳＤＨネットワークを介して１０ＧｂＥ信号を伝送するため、図３に示すＥＯＳ装置では、１０ギガビットＳＤＨであるＳＴＭ−６４、つまり、ＶＣ−４単位に６４個分の帯域分の処理能力を有しているＳＤＨ伝送路を使用している。１０ＧｂＥ伝送路帯域は１０ギガビットＳＤＨ帯域よりも大きいため、１０ＧｂＥ信号中のイーサネット・フレームのサイズによっては、１０ＧｂＥ信号をフルレートで伝送することができない場合がある。これについて以下に数値を用いて説明する。
【００２１】
イーサネット・フレームをＳＤＨ伝送路で送受信するためにＧＦＰによりカプセル化する場合、フレームあたりのオーバーヘッドは最小でも８バイトある。ＳＴＭ−６４のＳＤＨ伝送路にて伝送可能なデータ帯域は９．５８４６４Ｇｂｐｓであるから、イーサネット・フレームサイズをＬバイトとすると、ＳＴＭ−６４のＳＤＨ伝送路に収容可能なイーサネット・フレーム帯域Ｘ＝９．５８４６４Ｇｂｐｓ×Ｌ÷（Ｌ＋８）となる。
【００２２】
一方、１０ＧｂＥ信号は、図４（Ａ）に示すように、フレームを送受信する間隔が、８バイトのプリアンブル／ＳＦＤ３１と１２バイトのＩＤＬＥ３３とからなる２０バイトとする必要がある。このことから、１０ＧｂＥ伝送路に収容可能なイーサネット・フレーム帯域Ｙは、Ｙ＝１０Ｇｂｐｓ×Ｌ÷（Ｌ＋２０）となる。
【００２３】
ここで、イーサネット・フレームサイズＬ＝１００００バイトとすると、Ｘ≒９．５７６Ｇｂｐｓ、Ｙ≒９．９８０Ｇｂｐｓとなる。この場合、１０ＧｂＥ伝送路から受信するイーサネット・フレーム帯域をそのままＳＴＭ−６４のＳＤＨ伝送路で送受信することができず、帯域不足のためのフレームロスやフロー制御が発生し、スループットが低下してしまう。
本発明は、このような課題を解決し、ＳＤＨ伝送路で１０ＧｂＥ信号をフルレートで伝送可能な信号伝送方式を提供することを目的とする。
【課題を解決するための手段】
【００２４】
本発明によると、１０ギガビット・イーサネット信号のトラヒックをＳＤＨネットワークを介して伝送する信号伝送方式において、イーサネット信号とＳＤＨネットワークで伝送されるＳＤＨ信号との間の信号変換処理をＶＣ−４単位で行う回路を６７個有することを特徴とする信号伝送方式が提供される。
【００２５】
具体的には、イーサネット信号をカプセル化してＧＦＰフレームを生成するＧＦＰ生成部と、ＧＦＰフレームからＶＣＡＴ方式によりＶＣパス信号を生成するＶＣＡＴ生成部と、ＶＣパス信号をＶＣ−４単位で処理するＶＣパス生成部と、ＶＣパス生成部により処理されたＶＣパス信号からＳＤＨ信号を生成して送信するＳＤＨ信号送信部とを有し、ＶＣパス生成部が６７個設けられ、ＶＣＡＴ部は、ＧＦＰ生成部からのデータ信号を、ＶＣＡＴグループに属するＶＣ−４で６７個の各ＶＣパスのデータ領域に挿入することを特徴とする構成とすることができる。
【００２６】
さらに、ＳＤＨ信号を受信してそのＳＤＨ信号に収容されているＶＣパス信号を抽出するＳＤＨ信号受信部と、ＶＣパス信号を終端しＶＣ−４単位で処理するＶＣパス終端部と、このＶＣパス終端部からのＶＣパスのデータ領域を結合して結合データ信号を生成するＶＣＡＴ終端部と、結合データ信号からＧＦＰフレームを抽出し、このＧＦＰフレームからイーサネット・フレームを抽出するＧＦＰ終端部と、イーサネット・フレームからイーサネット信号を生成するイーサネット信号送信部とを有し、ＶＣパス終端部が６７個設けられたことを特徴とする構成とすることができる。
【００２７】
ＳＤＨ信号送信部は、６７個のＶＣパス信号から、それらを収容する１または複数のＳＤＨ信号を生成することができる。また、ＳＤＨ信号受信部は、１または複数のＳＤＨ信号から６７個のＶＣパス信号を抽出することができる。
【発明の効果】
【００２８】
従来のＳＴＭ−６４への収容を考慮したＶＣＡＴ処理ではＳＤＨ網を介して伝送可能な１０ＧｂＥ信号のデータレートが低下することに対して、ＶＣ−４で６７個分のＶＣＡＴ処理を行うことで、１０ＧｂＥ信号をフルレートで伝送可能とすることができる。
【発明を実施するための最良の形態】
【００２９】
［構成および各部の簡単な動作］
図１および図２は本発明の実施の形態を示す図であり、図１は本発明が実施されるネットワーク構成の一例を示し、図２は、図１に示すネットワーク構成内のＥＯＳ装置４−１、４−２として本発明の実施の形態で用いられる構成を示すブロック構成図である。この実施の形態は、図１に示すネットワーク構成は背景技術として示したものと同じであり、ＥＯＳ装置４−１、４−２の構成が、背景技術として図３に示したものと異なる。
【００３０】
図１および図２に示す実施の形態は、１０ギガビット・イーサネット信号のトラヒックをＳＤＨネットワークを介して伝送する信号伝送方式において、イーサネット信号とＳＤＨネットワークで伝送されるＳＤＨ信号との間の信号変換処理をＶＣ−４単位で行う回路を６７個有することを最も主要な特徴とする。
【００３１】
すなわち、ＥＯＳ装置４−１、４−２はそれぞれ、１０ＧｂＥ信号受信部１１、ＧＦＰ生成部１２、ＶＣＡＴ６７生成部１７、ＶＣパス生成部１４−１〜１４−６７、クロスコネクト部１５およびＳＤＨ信号送信部１６−１、１６−２を備える。ＥＯＳ装置４−１、４−２はまた、ＳＤＨ信号受信部２１−１、２１−２と、クロスコネクト部２２と、ＶＣパス終端部２３−１〜２３−６７と、ＶＣＡＴ６７終端部２７と、ＧＦＰ終端部２５と、１０ＧｂＥ信号送信部２６とを備える。
【００３２】
なお、ここでは、６７個のＶＣパス信号からＳＴＭ−６４およびＳＴＭ−４の２つのＳＤＨ信号を生成し、また、ＳＴＭ−６４およびＳＴＭ−４の２つのＳＤＨ信号から６７個のＶＣパス信号を抽出するものとして、ＳＤＨ信号送信部１６およびＳＤＨ信号受信部２１をそれぞれ２つのブロックで示す。
【００３３】
１０ＧｂＥ信号受信部１１は、１０ＧｂＥ伝送路１０１から１０ＧｂＥ信号を受信する。ＧＦＰ生成部１２は、イーサネット信号をカプセル化して、ＧＦＰフレームを生成する。ＶＣＡＴ６７生成部１７は、ＧＦＰフレームからＶＣＡＴ方式によりＶＣパス信号を生成する。ＶＣパス生成部１４−１〜１４−６７はそれぞれ、ＶＣパス信号をＶＣ−４単位で処理する。クロスコネクト部１５は、ＶＣ信号のタイムスロット入れ替えなどを行う。ＳＤＨ信号送信部１６−１、１６−２は、ＶＣパス生成部１４−１〜１４−６７により処理されクロスコネクト部１５によりタイムスロット入れ替えなどの処理が施されたＶＣパス信号から、ＳＴＭ−６４およびＳＴＭ−４の２つのＳＤＨ信号を生成し、ＳＤＨ伝送路２０１、２０３に送信する。
【００３４】
ＳＤＨ信号受信部２１−１、２１−２は、ＳＤＨ伝送路２０２、２０４からＳＴＭ−６４およびＳＴＭ−４の２つのＳＤＨ信号を受信して、それらのＳＤＨ信号に収容されている６７個のＶＣパス信号を抽出する。ＶＣパス終端部２３−１〜２３−６７はそれぞれ、ＶＣパス信号を終端し、ＶＣ−４単位で処理する。ＶＣＡＴ６７終端部２７は、ＶＣパス終端部２３−１〜２３−６７からのＶＣパスのデータ領域を結合して結合データ信号を生成する。ＧＦＰ終端部２５は、結合データ信号からＧＦＰフレームを抽出し、このＧＦＰフレームからイーサネット・フレームを抽出する。１０ＧｂＥ信号送信部２６は、イーサネット・フレームからイーサネット信号を生成し、１０ＧｂＥ伝送路１０２に送信する。
【００３５】
［本実施の形態の特徴的動作の説明］
図２に示すＥＯＳ装置の図３に背景技術として示すＥＯＳ装置との最も大きな違いは、ＶＣＡＴ生成部１３、ＶＣＡＴ終端部２４の代わりにＶＣＡＴ６７生成部１７、ＶＣＡＴ６７終端部２７を有し、ＶＣパス生成部１４およびＶＣパス終端部２３が６４個あったものが、６７個になっている点である。以下では、図２に示すＥＯＳ装置について、図３に背景技術として示すＥＯＳ装置と構成および動作が異なる点のみ説明する。
【００３６】
ＶＣＡＴ６７生成部１７は、ＧＦＰ生成部１２から受信した結合データ信号を、ＶＣＡＴ方式にてバイト単位に分割し、ＶＣＡＴグループに属するＶＣ−４で６７個の各ＶＣパスのデータ領域に挿入する。同時にＶＣＡＴ６７生成部１７は、各ＶＣパスのＰＯＨのＨ４バイトにマルチフレーム情報とマッピング順番を示すシーケンス情報を付加してＶＣパス信号を生成し、ＶＣパス生成部１４−１〜１４−６７に送信する。ＶＣパス生成部１４−１〜１４−６７は、ＶＣＡＴ６７生成部１７から受信した各ＶＣパス信号のＨ４バイト以外のＰＯＨバイトを付加した後に、ＶＣパス信号をクロスコネクト部１５に送信する。クロスコネクト部１５は、ＶＣパス生成部１４−１〜１４−６７から受信したＶＣパス信号を、ＳＤＨ信号に収容すべくタイムスロット入れ替えなどを行い、該当するＳＤＨ信号送信部１６−１、１６−２にＶＣパス信号を送信する。ＳＤＨ信号送信部１６−１、１６−２は、クロスコネクト部１５から受信した各ＶＣパスにＳＯＨを付加することでＳＴＭ−６４やＳＴＭ−１６などのＳＤＨ信号を生成し、ＳＤＨ伝送路２０１、２０３に送信する。
【００３７】
ＶＣ−４で６７個を送信可能とするため、ＳＤＨ信号送信部１６−１、１６−２は、例えばＳＤＨ信号送信部１６−１でＶＣ−４を６４個収容できるＳＴＭ−６４信号を生成し、ＳＤＨ信号送信部１６−２で残りのＶＣ−４を３個収容できるＳＴＭ−４信号を生成する。
【００３８】
ＳＤＨ信号受信部２１−１、２１−２は、それぞれＳＤＨ伝送路２０２、２０４を介してＳＴＭ−６４信号、ＳＴＭ−４信号を受信し、ＳＯＨを終端し、収容されている各ＶＣパスを抽出し、クロスコネクト部２２に送信する。クロスコネクト部２２は、ＳＤＨ信号受信部２１−１、２１−２から受信したＶＣパス信号を、ＶＣパス終端部２３−１〜２３−６７で受信できるようにタイムスロット入れ替えなどを行い、該当するＶＣパス終端部２３−１〜２３−６７にＶＣパス信号を送信する。ＶＣパス終端部２３−１〜２３−６７は、クロスコネクト部２２から受信した各ＶＣパス信号のＨ４バイト以外のＰＯＨバイトを終端した後に、ＶＣパス信号をＶＣＡＴ６７終端部２７に送信する。ＶＣＡＴ６７終端部２７は、ＶＣパス終端部２３−１〜２３−６７から受信した各ＶＣパスのＨ４バイトに格納されているマルチフレーム情報により各ＶＣパスの位相を揃え、シーケンス情報によりＶＣパスのデータ領域を結合して、得られた結合データ信号をＧＦＰ終端部２５に送信する。
【００３９】
このように、ＶＣ−４で６７個分のＶＣＡＴ処理を行うＶＣＡＴ６７生成部１７およびＶＣＡＴ６７終端部２７を用いることで、フルレートの１０ＧｂＥ信号をＳＤＨ伝送路を介して伝送することが可能となる。
【００４０】
以上の説明では、６７個のＶＣ−４をＳＴＭ−６４信号とＳＴＭ−４信号とに収容する場合を例に説明したが、ＶＣ−４を６７個以上収容できるＳＴＭ−２５６信号を用いることもできる。その場合には、ＳＤＨ信号送信部１６−１、１６−２およびＳＤＨ信号受信部２１−１、２１−２は、それぞれ１つでよい。
【００４１】
以上説明したように、本実施の形態では、ＳＤＨ伝送路を介して１０ＧｂＥ信号を伝送する際に、１０ＧｂＥ信号のフレーム長が大きくても、フルレートの１０ＧｂＥ信号を伝送できる。その理由は、従来のＳＴＭ−６４への収容を考慮したＶＣ−４で６４個分のＶＣＡＴ処理を行う部位を、ＶＣ−４で６７個分の処理を行う部位に替える事で、ＳＴＭ−６４伝送路＋ＳＴＭ−４伝送路、あるいは、ＳＴＭ−２５６伝送路を介して、ＶＣ−４で６７個に分割したフルレートの１０ＧｂＥ信号を伝送できるからである。
【００４２】
また、本実施の形態では、背景技術に示した方式と同様に、効率的な伝送を実現できる。その理由は、背景技術に示した方式と同様にＶＣＡＴ方式を採用しているため、ＳＤＨ信号内部の空きタイムスロットを活用することが可能であり、ＳＤＨ信号の使用率を１００％とすることが可能であるからである。
【図面の簡単な説明】
【００４３】
【図１】ＳＤＨネットワークを介して１０ＧｂＥ信号を伝送するネットワーク構成の一例を示す図である。
【図２】図１に示すネットワーク構成内のＥＯＳ装置として本発明の実施の形態で用いられる構成を示すブロック構成図である。
【図３】図１に示すネットワーク構成内のＥＯＳ装置の従来の構成例を示すブロック構成図である。
【図４】図２または図３に示すＥＯＳ装置内で処理される信号のフォーマット例を示す図であり、（Ａ）は１０ＧｂＥ信号のフォーマットの一例、（Ｂ）は１０ＧｂＥ信号とＳＤＨ信号との信号変換の過程で用いられるＧＦＰフレームのフォーマットの一例である。
【符号の説明】
【００４４】
１−１、１−２  イーサネット・ネットワーク
２−１、２−２  Ｌ２スイッチ／ルーター
３−１、３−２  １０ＧｂＥ伝送路
４−１、４−２  ＥＯＳ装置
５−１−１〜５−１−Ｎ、５−２−１〜５−２−Ｎ  ＳＤＨ伝送路
６  ＳＤＨネットワーク
１１  １０ＧｂＥ信号受信部
１２  ＧＦＰ生成部
１３  ＶＣＡＴ生成部
１４−１〜１４−６７  ＶＣパス生成部
１５  クロスコネクト部
１６、１６−１、１６−２  ＳＤＨ信号送信部
１７  ＶＣＡＴ６７生成部（ＶＣＡＴ生成部）
２１、２１−１、２１−２  ＳＤＨ信号受信部
２２  クロスコネクト部
２３−１〜２３−６７  ＶＣパス終端部
２４  ＶＣＡＴ終端部
２５  ＧＦＰ終端部
２６  １０ＧｂＥ信号送信部
２７  ＶＣＡＴ６７終端部（ＶＣＡＴ終端部）
１０１、１０２  １０ＧｂＥ伝送路
２０１〜２０４  ＳＤＨ伝送路
【図１】
2010141777.tif 000003
【図２】
2010141777.tif 000004
【図３】
2010141777.tif 000005
【図４】
2010141777.tif 000006